(57)【要約】【課題】一般文書を処理する通常モードと特殊文書を処理する特殊モードとを簡便な操作で、或いは自動的に切り替えることができる画像形成装置及び画像形成方法を提供する。【解決手段】本発明に係る画像形成装置は、文書を読み取り画像データに変換する読取部と、読取部で読み取った画像データに基づいて一般文書と特殊文書とを識別する文書種別判定部と、一般文書と特殊文書とでは読取処理内容が異なる読取処理部と、一般文書と特殊文書とでは画像処理内容が異なる画像処理部と、文書種別判定部で判定された文書が特殊文書の場合には、前記読取処理部を前記特殊読取処理モードに設定すると共に前記画像処理部を特殊画像処理モードに設定し、文書種別判定部判定された文書が一般文書の場合には、読取処理部を一般読取処理モードに設定すると共に画像処理部を一般画像処理モードに設定する制御部とを備えたことを特徴とする。【選択図】  図１
2006254324.tif 000002
【特許請求の範囲】
【請求項１】
文書を読み取り画像データに変換する読取部と、
前記読取部で読み取った画像データに基づいて一般文書と特殊文書とを識別する文書種別判定部と、
前記一般文書の読取処理をする通常読取処理モードと前記特殊文書の読取処理をする特殊読取処理モードとで読取処理内容が異なる読取処理部と、
前記一般文書の画像処理をする通常画像処理モードと、前記特殊文書の画像処理をする特殊画像処理モードとで画像処理内容が異なる画像処理部と、
前記文書種別判定部で判定された文書が前記特殊文書の場合には、前記読取処理部を前記特殊読取処理モードに設定すると共に前記画像処理部を特殊画像処理モードに設定し、前記文書種別判定部判定された文書が前記一般文書の場合には、前記読取処理部を一般読取処理モードに設定すると共に前記画像処理部を前記一般画像処理モードに設定する制御部と、
を備えたことを特徴とする画像形成装置。
【請求項２】
前記画像処理部で処理された画像データから外部に出力する電子ファイルを生成する出力ファイル生成部をさらに備え、
前記出力ファイル生成部は、前記文書種別判定部で判定された文書が前記特殊文書の場合と前記一般文書の場合とでは異なる形式の電子ファイルを生成することを特徴とする請求項１に記載の画像形成装置。
【請求項３】
前記文書種別判定部は、前記特殊文書に付加された識別情報に基づいて前記一般文書と前記特殊文書とを識別することを特徴する請求項１または２に記載の画像形成装置。
【請求項４】
前記識別情報は、バーコードであることを特徴とする請求項３に記載の画像形成装置。
【請求項５】
通常モードと特殊モードとの切り換え表示をすると共に、前記通常モードと前記特殊モードとを切り換えて設定する操作部をさらに備え、
前記制御部は、前記特殊モードに設定された場合には、前記読取処理部を前記特殊読取処理モードに優先的に設定すると共に前記画像処理部を特殊画像処理モードに優先的に設定し、前記通常モードに設定された場合には、前記読取処理部を一般読取処理モードに優先的に設定すると共に前記画像処理部を前記一般画像処理モードに優先的に設定する、
請求項１に記載の画像形成装置。
【請求項６】
前記操作部は、前記特殊モードへの切り換え表示及び前記特殊モードの設定を予め無効とすることができることを特徴とする請求項５に記載の画像形成装置。
【請求項７】
前記特殊モードに設定された場合には、前記操作部から設定できるパラメータの種類或いは範囲を前記通常モードに設定された場合に比べて広く設定できる、ことを特徴とする請求項５に記載の画像形成装置。
【請求項８】
前記特殊読取処理モードにおける前記読取処理部の読取処理内容および前記特殊画像処理モードにおける前記画像処理部の画像処理内容の少なくとも一方を予め登録する或いは変更する操作部をさらに備え、
前記制御部は、前記操作部で予め登録された或いは変更された前記読取処理内容を前記読取処理部に設定し、予め登録された或いは変更された前記画像処理内容を前記画像処理部に設定することを特徴とする請求項１に記載の画像形成装置。
【請求項９】
前記出力ファイル生成部で生成されるファイル形式を予め登録する或いは変更する操作部をさらに備え、
前記出力ファイル生成部は、前記操作部で予め登録された或いは変更されたファイル形式のファイルを生成することを特徴とする請求項２に記載の画像形成装置。
【請求項１０】
文書を読み取り画像データに変換するステップと、
読み取った前記画像データに基づいて一般文書と特殊文書とを識別するステップと、
前記一般文書の読取処理をする通常読取処理モードと前記特殊文書の読取処理をする特殊読取処理モードとで異なる態様で読取処理するステップと、
前記一般文書の画像処理をする通常画像処理モードと、前記特殊文書の画像処理をする特殊画像処理モードとで異なる態様で画像処理するステップと、
識別された前記文書が前記特殊文書の場合には、前記特殊読取処理モードに設定すると共に前記特殊画像処理モードに設定し、識別された前記文書が前記一般文書の場合には、前記一般読取処理モードに設定すると共に前記一般画像処理モードに設定するモード設定ステップと、
を備えたことを特徴とする画像形成方法。
【請求項１１】
前記画像処理するステップで処理された画像データから外部に出力する電子ファイルを生成するステップをさらに備え、
前記電子ファイルを生成するステップは、識別された前記文書が前記特殊文書の場合と前記一般文書の場合とでは異なる形式の電子ファイルを生成することを特徴とする請求項１０に記載の画像形成方法。
【請求項１２】
前記一般文書と前記特殊文書とを識別するステップは、前記特殊文書に付加された識別情報に基づいて前記一般文書と前記特殊文書とを識別することを特徴する請求項１０または１１に記載の画像形成方法。
【請求項１３】
前記識別情報は、バーコードであることを特徴とする請求項１２に記載の画像形成方法。
【請求項１４】
通常モードと特殊モードとの切り換え表示をすると共に、前記通常モードと前記特殊モードとを切り換えて設定するステップをさらに備え、
前記モード設定ステップは、前記特殊モードに設定された場合には、前記特殊読取処理モードに優先的に設定すると共に前記特殊画像処理モードに優先的に設定し、前記通常モードに設定された場合には、前記一般読取処理モードに優先的に設定すると共に前記一般画像処理モードに優先的に設定する、
請求項１０に記載の画像形成方法。
【請求項１５】
前記特殊モードへの切り換え表示及び前記特殊モードの設定を予め無効とすることができることを特徴とする請求項１４に記載の画像形成方法。
【請求項１６】
前記特殊モードに設定された場合には、操作部から設定できるパラメータの種類或いは範囲を前記通常モードに設定された場合に比べて広く設定できる、ことを特徴とする請求項１４に記載の画像形成方法。
【請求項１７】
前記特殊読取処理モードにおける読取処理内容および前記特殊画像処理モードにおける画像処理内容の少なくとも一方を予め登録する或いは変更するステップをさらに備え、
前記モード設定ステップは、前記予め登録或いは変更された前記読取処理内容を設定し、前記予め登録或いは変更された前記画像処理内容を設定することを特徴とする請求項１０に記載の画像形成方法。
【請求項１８】
前記電子ファイルのファイル形式を予め登録する或いは変更するステップをさらに備え、
前記電子ファイルを生成するステップは、前記予め登録された或いは変更されたファイル形式のファイルを生成することを特徴とする請求項１１に記載の画像形成方法。
【発明の詳細な説明】
【技術分野】
【０００１】
本発明は、画像形成装置および画像形成方法に係り、特に、文書や画像を入力し、保存、プリント或いは表示する画像形成装置および画像形成方法に関する。
【背景技術】
【０００２】
今日、企業等においては、情報の共有化や保存場所の問題を解決するため、紙等に印刷された文書を電子化して画像データとして保存することが一般化してきている。
【０００３】
膨大な印刷文書を電子化し、例えば企業内の特定のサーバに保存することによって情報の共有化が図れ、必要な人が必要なときに電子化情報に容易にアクセスすることが可能となる。また、一旦電子化された情報は必要時にいつでもハードコピーをとることができるため、元の印刷文書を保管する必要がなく保管場所の削減にも寄与する。
【０００４】
しかしながら、現実は必ずしも総ての文書が電子化されるわけではない。例えば、税務関係の帳票類、財務関係書類等、（以下、税務関係書類等という）のいわゆる原本と呼ばれる書類は、企業等において電子化することなく原本のまま紙ベースで保管することが今日でも一般的である。
【０００５】
この理由は、法制度上の制約もあるものの、技術的な観点からみれば、唯一無二の原本を一般文書以上に高い再現性を確保可能に読み取り、また読み取った電子化情報を高い再現性で印刷する技術が必ずしも十分とは言い切れない点にあった。
【０００６】
さらに重要な点は、従来スキャナ等の画像形成装置においては、秘匿性、改竄防止等の保全性確保に関わる技術が必ずしも十分に開発、適用されていなかった点にある。
【０００７】
しかしながら、近年、スキャナ等の画像形成装置の高解像度化や色再現技術の進捗は著しく、また、秘匿性向上、改竄防止等のセキュリティ技術も大きく進展している。このため、技術的な観点から見れば、税務関係書類等の原本を電子化しこれを電子原本として保存、管理すれば、元の紙の原本を保存し続ける必要性はなくなりつつある。
【０００８】
また、これらの技術の進展に呼応して、法制度上も一部の税務関係書類等については電子化された文書を電子原本として認めようとする流れもある。
【０００９】
他方、ネットワーク技術の進展に伴い、電子化された文書をネットワークを介して遠隔地へ伝送することも多い。このため、従来比較的スタンドアローン的に使用されることが多かったスキャナやコピー機等の画像形成装置も各種の通信機能やこれに付随する画像ファイル変換機能等が付加されてきており、機能の多様化の傾向は著しい。
【００１０】
機能の多様化に伴って、近年の画像形成装置等では操作が複雑になってきている。このため、多様な機能を実現しつつ、より簡便な操作を可能とする技術も求められている。
【００１１】
例えば、特許文献１には、通信の多様化に伴う操作の煩雑さを緩和することのできる画像形成装置に関する技術が開示されている。
【特許文献１】特開２００１−２８５５３４号公報
【発明の開示】
【発明が解決しようとする課題】
【００１２】
ところで、税務関係書類等の文書を電子化する際には一般の文書よりも高い保全性、高再現性を確保して電子化する技術が必要となるが、この技術と一般の文書を電子化する技術とが相反する場合がある。
【００１３】
例えば、税務関係書類等を電子化する場合、電子化前の紙の原本に対して修正液等による改竄がなされているか否かを識別できるように読み取る機能が求められる。改竄文書に基づいて電子原本が生成されてしまうことを防止するためである。
【００１４】
通常、修正液等の白色は、原稿の下地の白色（用紙色）よりも白い（明度が高い）ことが多い。この高明度の修正液等の白色をも読み取る機能を備えることで改竄文書に基づいて電子原本が生成されてしまうことを予防することができる。
【００１５】
これに対して、一般の文書を読み取って電子化する場合には、原稿の下地の白色（用紙色）を目立たせないように文書を読み取り、下地の白色がよごれのように見えることを防止する機能を備えている。
【００１６】
具体的には、例えば、スキャナの階調特性を適切に設定することによって、原稿の下地の白色よりも高い明度の白色に対しては、原稿の下地の白色の明度以上とならないように飽和特性を持たせる。そして、印刷時には、原稿の下地の白色が、印刷用紙の白色と同程度の明度となるようにしている。この処理（以下、「通常の下地処理」という）によって、原稿の下地の白色が印刷文書に表れることがなくなり、きれいな印刷文書を作成することができる。
【００１７】
「通常の下地処理」では、原稿の下地の白色よりも高い明度に対しては飽和させる処理としているため、修正液等の高明度の白色は読み取り段階で情報が失われており、読み取ることができない。
【００１８】
このため、修正液等の高明度の白色を読み取るためには、スキャナの階調特性を下地の白色よりも高い明度でも飽和しない階調特性とする必要がある。即ち、「通常の下地処理」とは異なる「専用の下地処理」を設けいずれかを選択する必要がある。
【００１９】
上記の下地処理の例では、一般の通常文書を読み取る場合と、税務関係書類等の特殊文書を読み取る場合とでは、スキャナ処理を異ならせる必要があることを説明した。
【００２０】
下地処理以外の場合であっても、一般の通常文書を読み取る形態（以下、一般モードという）と、税務関係書類等の特殊文書を読み取る形態（以下、特殊モードという）とで異なる処理内容を設け、一般モードと特殊モードとに応じて適宜処理内容を選択することにより全体として優れた効果を発揮させることができる。
【００２１】
例えば、税務関係書類等の特殊文書では、写真等を含む通常文書に比べて文字情報の重要性が高く、小さな文字であっても正確に読み取る必要性も高い。このため、特殊モードでは、通常モードに比べて文字を強調した処理が求められ、文字を強調する画像処理フィルタを選択する。
【００２２】
また、例えば、税務関係書類等の特殊文書を電子化し、電子原本として認定するためには、第３者機関による認証やタイムスタンプ（電子化時の年月日時刻の情報）を特殊な電子情報として埋め込む場合も考えられる。このため、読み取った特殊文書を通常モードとは異なるファイル形式として保存したり、通常モードと異なるインタフェースで外部機器と通信したりする場合も考えられる。
【００２３】
このように、通常モードと特殊モードとを有する画像形成装置においては、処理内容や処理の種類は増加し複雑さを増す。
【００２４】
このため、通常モードと特殊モードとを切り換える際に、個別の処理内容の選択やパラメータの設定をユーザに委ねるとユーザの操作上の負担は非常に大きなものとなる。また、誤操作の危険性も増してくる。
【００２５】
本発明は、上記事情に鑑みてなされたもので、一般文書を処理する通常モードと、特殊文書を処理する特殊モードとを簡便な操作で、或いは自動的に切り換えることができる画像形成装置及び画像形成方法を提供することを目的とする。
【課題を解決するための手段】
【００２６】
上記課題を解決するため、本発明に係る画像形成装置は、請求項１に記載したように、文書を読み取り画像データに変換する読取部と、前記読取部で読み取った画像データに基づいて一般文書と特殊文書とを識別する文書種別判定部と、前記一般文書の読取処理をする通常読取処理モードと前記特殊文書の読取処理をする特殊読取処理モードとで読取処理内容が異なる読取処理部と、前記一般文書の画像処理をする通常画像処理モードと、前記特殊文書の画像処理をする特殊画像処理モードとで画像処理内容が異なる画像処理部と、前記文書種別判定部で判定された文書が前記特殊文書の場合には、前記読取処理部を前記特殊読取処理モードに設定すると共に前記画像処理部を特殊画像処理モードに設定し、前記文書種別判定部判定された文書が前記一般文書の場合には、前記読取処理部を一般読取処理モードに設定すると共に前記画像処理部を前記一般画像処理モードに設定する制御部とを備えたことを特徴とする。
【００２７】
また、本発明に係る画像形成方法は、請求項１０に記載したように、文書を読み取り画像データに変換するステップと、読み取った前記画像データに基づいて一般文書と特殊文書とを識別するステップと、前記一般文書の読取処理をする通常読取処理モードと前記特殊文書の読取処理をする特殊読取処理モードとで異なる態様で読取処理するステップと、前記一般文書の画像処理をする通常画像処理モードと、前記特殊文書の画像処理をする特殊画像処理モードとで異なる態様で画像処理するステップと、識別された前記文書が前記特殊文書の場合には、前記特殊読取処理モードに設定すると共に前記特殊画像処理モードに設定し、識別された前記文書が前記一般文書の場合には、前記一般読取処理モードに設定すると共に前記一般画像処理モードに設定するモード設定ステップとを備えたことを特徴とする。
【発明の効果】
【００２８】
本発明に係る画像形成装置及び画像形成方法によれば、一般文書を処理する通常モードと、特殊文書を処理する特殊モードとを簡便な操作で、或いは自動的に切り換えることができる。
【発明を実施するための最良の形態】
【００２９】
本発明に係る画像形成装置および画像形成方法の実施形態について、添付図面を参照して説明する。
【００３０】
（１）画像形成装置の実施形態の構成例
図１は、本発明の実施形態に係る画像形成装置１の構成例を示したものである。
【００３１】
画像形成装置１は、文書を読み取り画像データに変換する読取部１０と、読取部１０で読み取った画像データに基づいて一般文書と特殊文書とを識別する文書種別判定部６０と、一般文書の読取処理をする通常読取処理モードと前記特殊文書の読取処理をする特殊読取処理モードとで読取処理内容が異なる読取処理部２０と、一般文書の画像処理をする通常画像処理モードと、前記特殊文書の画像処理をする特殊画像処理モードとで画像処理内容が異なる画像処理部３０と、前記画像処理部で処理された画像データから外部に出力する電子ファイルを生成する出力ファイル生成部４０とを備えて構成される。
【００３２】
また、文書種別判定部６０で判定された文書が特殊文書の場合には、読取処理部２０を特殊読取処理モードに設定すると共に画像処理部３０を特殊画像処理モードに設定し、文書種別判定部６０で判定された文書が一般文書の場合には、前記読取処理部２０を一般読取処理モードに設定すると共に画像処理部３０を一般画像処理モードに設定する制御部７０を備えている。
【００３３】
この他、画像形成装置１は、出力ファイル生成部４０で生成された電子ファイルを外部機器５２との間で通信するインタフェース部５０と、出力ファイル生成部４０で生成された電子ファイルを保存する保存部５１と、画像処理部３０で生成された画像データをプリントする記録部８０と、ユーザが画像形成装置１に対して各種の設定操作を行う操作部９０とを備えている。
【００３４】
本実施形態に係る画像形成装置１は、「通常モード」と「特殊モード」の２つの動作モードに対応可能に構成されている。
【００３５】
ここで、「通常モード」とは、文字や写真を含む一般的な一般文書に対する処理モードのことをいう。例えば、ＭＦＰ（Multi-Function-Peripheral）機器でのコピーモードやスキャンモードで用意した原稿モード切替で処理されるモードである。通常、画像形成装置１は「通常モード」に設定されており、読み取った文書の画像データに対して通常読取処理や通常画像処理を施した後、記録部８０でプリントしたり、或いは画像データを標準的な形式の電子ファイルに変換し外部機器５２との間で通信を行ったりする。
【００３６】
一方、「特殊モード」とは、税務関係書類等の特殊文書に対する処理モードのことをいう。画像形成装置１が「特殊モード」に設定されると、読取処理部２０では特殊文書の読み取りに適した特殊読取処理を行うように制御される。また、画像処理部３０では特殊文書の画像処理に適した特殊画像処理を行うように制御される。さらに、出力ファイル生成部４０では、特殊文書の電子ファイルに対応した特殊な形式の電子ファイルを生成することが可能となる。
【００３７】
「特殊モード」は必ずしも１つの種類に限定されない。読取処理や画像処理の各処理内容の相違に応じて、或いは読取処理や画像処理の各処理内容の組み合わせによって複数の異なる「特殊モード」を備えてもよい。
【００３８】
読取部１０は、スキャナとして機能するものであり、例えば、文書の原稿に光を照射する光源、原稿からの反射光を画像データに変換するセンサ、原稿からの反射光をセンサに導き集光させる光学系、光源を副走査方向に駆動させる駆動系等から構成される。
【００３９】
読取部１０から読み取られた画像データは読取処理部２０および文書種別判定部６０へ出力される。
【００４０】
読取処理部２０は、センサから出力された文書の画像データの階調特性を変換する階調特性変換テーブルを備えている。本実施形態に係る画像形成装置１は、階調特性変換テーブルを複数備え、例えば、制御部７０からの切り替え信号によって「通常モード」における階調特性変換テーブルと「特殊モード」における階調特性変換テーブルを切り替える。
【００４１】
「通常モード」では、一般の文書を読み取って電子化する場合には、原稿の下地の白色（用紙色）を目立たせないように文書を読み取り、下地の白色がよごれのように見えることを防止する機能を備えている。
【００４２】
具体的には、例えば、「通常モード」で選択する階調特性変換テーブルの設定により、原稿の下地の白色よりも高い明度の白色に対しては、原稿の下地の白色の明度以上とならないように飽和特性を持たせる。そして、印刷時には、原稿の下地の白色が、印刷用紙の白色と同程度の明度となるようにしている。この処理（以下、「通常の下地処理」という）によって、原稿の下地の白色が印刷文書に表れることがなくなり、きれいな印刷文書を作成することができる。
【００４３】
一方、「特殊モード」で選択する階調特性変換テーブルでは、原稿の下地の白色以上の明度よりも高い明度であっても飽和しないような階調特性を持たせている。このため、修正液等の高明度の白色であっても飽和させることなく読み取ることが可能となる。
【００４４】
画像処理部３０では、読み取った画像データに対して各種の画像処理を行う。例えば、センサから出力されるＲＧＢ信号から、ＣＭＹＫの濃度に変換する。この濃度変換（色変換と呼ぶこともある）も階調変換を伴う処理であり、例えば、濃度階調変換テーブルに基づいて変換される。
【００４５】
本実施形態に係る画像処理部３０は、この濃度階調変換テーブルを「通常モード」と「特殊モード」とで複数備え、例えば、制御部７０からの切り替え信号によって濃度階調変換テーブルを選択的に切り替えることによって、それぞれのモードにより適した濃度階調変換特性を得ることができる。
【００４６】
また、画像処理部３０の画像処理によって、「通常モード」と「特殊モード」とで、原稿の下地の濃度設定を切り替える形態としてもよい。「通常モード」では、下地の濃度が強くなると汚れのよう見えるため、下地の濃度をプリント用紙の下地白色に近づける設定をする。これに対して、「特殊モード」では、原稿の下地の色を「通常モード」に比べてやや暗めに設定し、これによって修正液等の修正痕を目立つようにすることができる。
【００４７】
画像処理部３０では、写真画像を平滑化する平滑フィルタや文字を強調する強調フィルタ等を有している。また、画像処理部３０では、原稿モードを自動判定する機能、即ち、原稿の処理対象の画素が文字領域の画素であるのか或いは写真領域の画素であるのかを自動的に識別し、識別結果に応じてフィルタ特性を適宜自動的に切り替える機能を備えているものもある。
【００４８】
一般文書では文字と写真が混在している文書が多く見られる。このため、画像形成装置１が「通常モード」に設定されている場合には、原稿モードを自動判定する機能を有効とし、文字領域或いは写真領域に応じてフィルタ特性を適宜自動的に切り替える。
【００４９】
他方、税務関係書類等の特殊文書では、文字のみで構成される場合が多く、通常文書に比べて文字情報の重要性が高い。また、小さな文字であっても正確に読み取る必要性も高い。このため、「特殊モード」では、「通常モード」に比べて文字を重視した処理が求められる。
【００５０】
具体的には、例えば、「特殊モード」が選択されると、原稿モードを自動判定する機能を無効とし、強制的に文字を強調するフィルタ処理を選択するようにする。文字強調フィルタも、「通常モード」で用いられているフィルタよりもさらに文字を強調するフィルタ形状としてもよい。
【００５１】
出力ファイル生成部４０では、保存部５１に保存するファイル形式、或いはインタフェース部５０を介して外部機器５２と通信する電子ファイルを生成する。この際、画像形成装置１が「通常モード」であるか、「特殊モード」であるかに応じて生成する電子ファイルの形式を適宜選択、変更可能に構成されている。
【００５２】
例えば、「通常モード」では、ＪＰＥＧやＴＩＦＦと呼ばれる標準的な画像ファイル形式が選択される。
【００５３】
他方、税務関係書類等の特殊文書を電子化し、電子原本として認定するためには、第３者機関による認証やタイムスタンプ（電子化時の年月日時刻の情報）を特殊な電子情報として埋め込む場合も考えられる。このため、読み取った特殊文書を「通常モード」とは異なる特殊なファイル形式として保存したり、「通常モード」とは異なる特殊なインタフェースで外部機器と通信したりする場合も考えられる。
【００５４】
また、画像圧縮率もＪＰＥＧやＴＩＦＦ等の標準的なファイル形式の圧縮率に拘束されることなく、対象電子ファイルに適合した専用の圧縮率とする方がよい場合がある。
【００５５】
このため、「特殊モード」が選択された場合には、出力ファイル生成部４０では、特殊ファイル形式の電子ファイルを生成する。また、「特殊モード」が選択された場合、「通常モード」時の画像圧縮率に替えて専用の圧縮率を選択可能に出力ファイル生成部４０を構成してもよい。
【００５６】
上述したように、画像形成装置１が「通常モード」とは異なる「特殊モード」を備えることによって、税務関係書類等の特殊文書の読み取りや画像処理、或いはその電子ファイル生成に特化した処理を行うことが可能となる。
【００５７】
他方、「通常モード」と「特殊モード」とを有する画像形成装置１においては、読取処理部２０、画像処理部３０、出力ファイル生成部４０の各処理部において、両モードにそれぞれ対応する複数の処理を選択する必要がある。つまり、「通常モード」と「特殊モード」というメインモードに対応して、画像処理部３０等の各処理部は複数のサブモードを備えており、複雑さを増してくる。
【００５８】
このため、「通常モード」と「特殊モード」とを切り替える際に、個別の処理内容（サブモード）の選択やさらに個々のサブモード内のパラメータ（フィルタ係数等）設定をユーザに委ねるとユーザの操作上の負担は非常に大きなものとなる。また、誤操作の危険性も増してくる。
【００５９】
そこで、本発明の実施形態における画像形成装置１では、「通常モード」と「特殊モード」とのメインモードに対するサブモードの組み合わせや、各サブモード内のパラメータを予め決定しておき、「特殊モード」が選択された場合には、対応するサブモードの組み合わせやパラメータは自動的に選択される形態としている。
【００６０】
（２）「通常モード」と「特殊モード」の切り替え
「通常モード」と「特殊モード」の切り替えは手動方式或いは自動方式で実現できる。
【００６１】
手動方式では、適宜の切り替えスイッチを操作部９０に設けることにより、ユーザに「通常モード」と「特殊モード」とを容易に選択させることができる。操作部９０は、例えば液晶表示器と、液晶表示器を覆うタッチパネルを備えたコントロールパネルで構成される。ユーザは、液晶表示器に表示された「切り替えスイッチ」をタッチパネルの上から押下することにより、「通常モード」と「特殊モード」とを切り替える。
【００６２】
なお、画像形成装置１の設置場所によっては税務関係書類等の特殊文書の読み取りは不要な場合もある。このように「特殊モード」への切り替えが不要な場合には、液晶表示器の「切り替えスイッチ」表示を無効とする（表示させない）形態としてもよい。
【００６３】
本実施形態に係る画像形成装置１では、「通常モード」と「特殊モード」との切り替えを自動方式で行うこともできる。
【００６４】
まず、図２に例示したように、税務関係書類等の特殊文書１０２、例えば領収書に識別情報記録１０３を予め付与しておく。「通常モード」と「特殊モード」との自動切り替えは、読取部１０で読み取ったこの識別情報記録１０３を、文書種別判定部６０で判定することにより特殊文書１０１であるか否かを判定して行う。読み取った文書が特殊文書１０１であると判定された場合には自動的に画像形成装置１を「特殊モード」に設定することにより実現する。
【００６５】
識別情報記録１０３の形態は特に限定するものではないが、例えば、１次元或いは２次元のバーコードによって実現すれば、一般文書と特殊文書との識別に加えて、特殊文書の具体的な種別や内容についても分類が可能となる。この結果、特殊文書の種別等に応じてさらに「特殊モード」を細分化し、特殊文書の種別等に応じた最適な処理が可能となる。
【００６６】
税務関係書類等には、例えば領収書等のように非定型の帳票等が多く含まれる。このため、特殊文書１０２を定型サイズ、例えばＡ４サイズの定型シート１０１に貼付することによって非定型サイズの特殊文書１０２であっても取扱性を向上させることができる。定型シート１０１は、特殊文書１０２を吸着する形態であっても良いし、透明な２重シートに挟み込む形態であっても良い。
【００６７】
このように、非定形サイズの特殊文書１０２を定型シート１０１に貼付することによって、ＡＤＦ（Automatic  Document  Feeder）を用いた一括読み取りが可能となり、操作性が向上する。
【００６８】
（３）「特殊モード」の処理内容の登録、変更
画像形成装置１が「通常モード」に設定されている場合には、コントロールパネル（操作部９０）から設定できるパラメータの種類や範囲は所定の範囲に限定されている。例えば、画像の濃度の調整範囲や文字のシャープネスの調整範囲を所定範囲に限定することにより、平均的な画像の品質を提供できるようにしている。
【００６９】
これに対して、画像形成装置１が「特殊モード」に設定されている場合には、コントロールパネルから設定できるパラメータの種類や範囲を「通常モード」に比べて広く取ることができるように構成しても良い。この結果、特定の特殊文書の処理に特化した画像処理内容や画像処理パラメータを設定することが可能となる。
【００７０】
また、設定した「特殊モード」の処理内容を予め登録する機能を備えた構成としてもよい。例えば、特殊文書が、「特殊文書Ａ」という種別である場合、「特殊文書Ａ」に最適な読取処理及び画像処理のサブモードの種類や組み合わせ、或いは「特殊文書Ａ」専用に用いるファイル形式を予め登録する形態としておく。同様に、特殊文書が、「特殊文書Ｂ」という種別である場合、「特殊文書Ｂ」に最適な読取処理及び画像処理のサブモードの種類や組み合わせ、或いは「特殊文書Ｂ」専用に用いるファイル形式を予め登録する形態としておく。そして、特殊文書に付与されている識別情報記録１０３から判定した文書の種別が「特殊文書Ａ」或いは「特殊文書Ｂ」の場合には、予め登録されている読取処理及び画像処理のサブモードの種類や組み合わせ、或いはファイル形式に基づいて処理する形態とする。また、登録内容は、コントロールパネル（操作部９０）から適宜変更できるようにしておく。
【００７１】
このように、画像形成装置１の「特殊モード」における処理内容を予め登録、変更が可能に構成することによって、手動方式の場合には、ユーザは単に「通常モード」と「特殊モード」との切り替えスイッチを操作するだけで特殊文書に最適な処理を選択することができる。また、自動方式の場合には、特殊文書に付与されている識別情報記録１０３を読取判別するだけで該当する特殊文書に最適な処理を選択することができる。
【００７２】
（４）画像形成装置１の動作例
図３は、画像形成装置１の動作の一例を示すフローチャートである。図３は、自動で「通常モード」と「特殊モード」とを判定する場合の動作例を示している。
【００７３】
まず、ユーザが設置した原稿を読取部１０で読み取る（ステップＳＴ１）。
【００７４】
読み取った画像データから、文書種別判定部６０は、その文書が一般文書であるか、特殊文書であるかを判定する。この判定は、例えば、文書に付与された識別情報記録１０３の有無に基づいて判定する（ステップＳＴ２）。
【００７５】
識別情報記録１０３がない場合には、一般文書であると判定される（ステップＳＴ３のＮｏ）。その結果、画像形成装置１は「通常モード」に設定され、読取処理部２０は、通常読取処理モードに設定されて読取処理される。また、画像処理部３０は、通常画像処理モードに設定されて画像処理される（ステップＳＴ４）。また、出力ファイル生成部４０では、標準形式の電子ファイルが生成される（ステップＳＴ５）。
【００７６】
他方、識別情報記録１０３が付与されている場合には、読み取った文書は特殊文書であると判定される（ステップＳＴ３のＹｅｓ）。
【００７７】
さらに、識別情報記録１０３の内容に応じて、特殊文書の種別が「特殊文書Ａ」であるのか或いは「特殊文書Ｂ」であるのかを判定する（ステップＳＴ６）。なお、図３では２つの特殊文書の種別を例示しているが、特に２つの種別に限定するものではない。
【００７８】
特殊文書の種別が「特殊文書Ａ」である場合には、「特殊文書Ａ」に対して最適に設定、登録された特殊モードＡの内容を読み出す（ステップＳＴ７）。そして、特殊モードＡに含まれる処理のうち、読取処理に関する特殊読取処理Ａを読取処理部２０に設定する（ステップＳＴ８）。同様に、特殊モードＡに含まれる処理のうち、画像処理に関する特殊画像処理Ａを画像処理部３０に設定する（ステップＳＴ９）。さらに、特殊モードＡに含まれる処理のうちファイル形式に関する情報、例えば解像度３００dpi、ファイル形式「特殊Ａ」等を出力ファイル生成部４０に設定する。
【００７９】
この結果、「特殊文書Ａ」に対して、特殊モードＡに対応した読取処理、画像処理が順次行われ、指定された解像度３００dpi、ファイル形式「特殊Ａ」の電子ファイルが生成される（ステップＳＴ１０）。
【００８０】
特殊文書の種別が「特殊文書Ｂ」である場合には、特殊モードＢの内容が読み出され（ステップＳＴ１１）、以下同様に特殊モードＢに対応した読取処理、画像処理がなされ、指定された解像度２００dpi、標準ファイル形式の電子アイルが生成される（ステップＳＴ１２ないしステップＳＴ１４）。
【００８１】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００８２】
【図１】本発明に係る画像形成装置の実施形態の構成例を示す図。
【図２】本発明に係る画像形成装置の実施形態における特殊文書の一例を示す図。
【図３】本発明に係る画像形成装置の実施形態における処理の一例を示すフローチャート。
【符号の説明】
【００８３】
１  画像形成装置
１０  読取部
２０  読取処理部
３０  画像処理部
４０  出力ファイル生成部
５０  インタフェース部
５１  保存部
５２  外部機器
６０  文書種別判定部
７０  制御部
８０  記録部
９０  操作部
【図１】
2006254324.tif 000003
【図２】
2006254324.tif 000004
【図３】
2006254324.tif 000005